【手続補正書】
【提出日】平成17年6月6日(2005.6.6)
【手続補正１】
【補正対象書類名】明細書
【補正対象項目名】特許請求の範囲
【補正方法】変更
【補正の内容】
【特許請求の範囲】
【請求項１】
複数の色光を色光毎に画像情報に応じて変調する複数の光変調装置と、光変調装置で変調された各色光を合成する色合成光学素子とが一体的に設けられた光学装置であって、
前記光変調装置を保持し、該光変調装置の画像形成領域に対応する部分に開口を有してなる保持枠と、
前記色合成光学素子の光束入射端面と交差する一対の端面のうち、少なくとも一方に固定される台座と、
前記保持枠と前記台座側面との間に配置される保持部材と、を備え、
前記光変調装置は、前記保持枠と前記保持部材とを介して、前記台座側面に対して固定されていることを特徴とする光学装置。
【請求項２】
請求項１に記載の光学装置において、
前記保持枠の少なくとも２箇所には孔が形成され、
前記保持部材は、前記保持枠の開口と対応する位置に開口が形成された矩形板状体と、該矩形板状体から突設され、前記保持枠の前記孔に挿入されるピンと、を備えることを特徴とする光学装置。
【請求項３】
請求項２に記載の光学装置において、
前記保持部材は、光透過性を有する材料によって構成されていることを特徴とする光学装置。
【請求項４】
請求項３に記載の光学装置において、
前記保持枠と前記保持部材とは、光硬化型接着剤によって固定されることを特徴とする光学装置。
【請求項５】
請求項２に記載の光学装置において、
前記保持部材は、金属によって構成されていることを特徴とする光学装置。
【請求項６】
請求項５に記載の光学装置において、
前記ピンは、基端側よりも先端側が細い形状を有していることを特徴とする光学装置。
【請求項７】
請求項５に記載の光学装置において、
前記保持枠と前記保持部材とは、熱硬化型接着剤によって固定されることを特徴とする光学装置。
【請求項８】
請求項２から請求項７のいずれかに記載の光学装置において、
前記矩形板状体には、熱間挙動差吸収用の切り欠きが形成されていることを特徴とする光学装置。
【請求項９】
請求項１に記載の光学装置において、
前記保持部材は、前記保持枠の開口と対応する位置に開口が形成された矩形板状体と、該矩形板状体の角隅部分に位置し、該矩形板状体の端縁に沿って延びるように突設され、前記保持枠の外周を保持する正面略Ｌ字状の起立片と、を備えることを特徴とする光学装置。
【請求項１０】
請求項９に記載の光学装置において、
前記起立片は、前記保持部材の矩形板状体の四隅に突設されることを特徴とする光学装置。
【請求項１１】
請求項９に記載の光学装置において、
前記起立片は、前記矩形板状体の互いに平行な一対の辺に沿って設けられ、矩形板状体の前記辺と略同じ長さを有することを特徴とする光学装置。
【請求項１２】
請求項９から請求項１１のいずれかに記載の光学装置において、
前記保持部材は、光透過性を有する材料によって構成されていることを特徴とする光学装置。
【請求項１３】
請求項１２に記載の光学装置において、
前記保持枠と前記保持部材とは、光硬化型接着剤によって固定されることを特徴とする光学装置。
【請求項１４】
請求項９から請求項１１のいずれかに記載の光学装置において、
前記保持部材は、金属によって構成されていることを特徴とする光学装置。
【請求項１５】
請求項１４に記載の光学装置において、
前記保持枠と前記保持部材とは、熱硬化型接着剤によって固定されることを特徴とする光学装置。
【請求項１６】
請求項９から請求項１５のいずれかに記載の光学装置において、
前記矩形板状体には、熱間挙動差吸収用の切り欠きが形成されていることを特徴とする光学装置。
【請求項１７】
請求項１から請求項１６のいずれかに記載の光学装置において、
前記保持部材は、板状の光学素子と係合する係合溝を備えることを特徴とする光学装置。
【請求項１８】
請求項１から請求項１６のいずれかに記載の光学装置において、
前記保持部材は、光学素子を固定するための支持面を有していることを特徴とする光学装置。
【請求項１９】
請求項１から請求項１６のいずれかに記載の光学装置において、
前記保持部材には、第１の光学素子を固定するための第１の支持面と、第２の光学素子を固定するための第２の支持面とが形成され、前記第１の支持面と前記第２の支持面とは、互いに面外方向位置が異なるように構成されていることを特徴とする光学装置。
【請求項２０】
請求項１から請求項１９のいずれかに記載の光学装置において、
前記台座は、前記色合成光学素子の光束入射端面と交差する一対の端面の双方に固定されることを特徴とする光学装置。
【請求項２１】
請求項２０に記載の光学装置において、
前記台座は、前記保持部材が接着固定される端面の一部に凹部が形成されていることを特徴とする光学装置。
【請求項２２】
請求項２０または請求項２１に記載の光学装置において、
前記台座の側面は、前記色合成光学素子の光束入射端面よりも突出していることを特徴とする光学装置。
【請求項２３】
請求項１から請求項１９のいずれかに記載の光学装置において、
前記台座は、前記色合成光学素子の光束入射端面と交差する一対の端面のうち一方にのみ固定され、
他方の前記端面の近傍には、対向する前記保持部材どうしを連結する連結部材が設けられていることを特徴とする光学装置。
【請求項２４】
請求項２３に記載の光学装置において、
前記台座、前記保持部材、前記連結部材のうち、少なくとも２つが、一体成形されていることを特徴とする光学装置。
【請求項２５】
請求項１から請求項２４のいずれかに記載の光学装置において、
該光学装置は、光学機器を構成する光学部品を所定の光軸に沿って配置する光学部品用筐体に取り付けられ、
前記台座の少なくとも一方には、前記光学部品用筐体に固定される取付部が形成されていることを特徴とする光学装置。
【請求項２６】
請求項１から請求項２５のいずれかに記載の光学装置において、
前記保持枠は、前記光変調装置を収納する凹形枠体と、収納された光変調装置を押圧固定する支持板とから構成されていることを特徴とする光学装置。
【請求項２７】
請求項１から請求項２６のいずれかに記載の光学装置において、
前記光変調装置は、一対の基板と、前記一対の基板の少なくとも一方に固着された光透過性防塵板と、を備えていることを特徴とする光学装置。
【請求項２８】
請求項１から請求項２７のいずれかに記載の光学装置と、前記光学装置によって形成された画像を投写する投写レンズと、を備えたことを特徴とするプロジェクタ。
【請求項２９】
複数の色光を色光毎に画像情報に応じて変調する複数の光変調装置と、光変調装置で変調された各色光を合成する色合成光学素子とが一体化された光学装置の製造方法であって、
前記色合成光学素子の光束入射端面と交差する一対の端面のうち、少なくとも一方に台座を固定する台座固定工程と、
前記複数の光変調装置を、各々保持枠に装着する工程と、
前記保持枠を、保持部材に接着剤を用いて密着する保持枠装着工程と、
前記保持部材を、前記台座側面に接着剤を用いて密着する保持部材装着工程と、
前記接着剤が未硬化な状態で、前記複数の光変調装置の位置を調整する位置調整工程と、
前記位置調整工程の後に、前記接着剤を硬化させる接着剤硬化工程と、を備え、
前記位置調整工程において、所定の光軸をＺ軸、前記Ｚ軸と直交する２軸をＸ軸およびＹ軸としたとき、
Ｚ軸方向と、Ｘ軸およびＹ軸を中心とした回転方向の調整は、前記保持枠と前記保持部材との間で行われ、
Ｘ軸方向、Ｙ軸方向、およびＸＹ面内における回転方向の調整は、前記保持部材と前記台座との間で行われることを特徴とする光学装置の製造方法。
【手続補正２】
【補正対象書類名】明細書
【補正対象項目名】００２７
【補正方法】削除
【補正の内容】
【手続補正３】
【補正対象書類名】明細書
【補正対象項目名】００２８
【補正方法】削除
【補正の内容】
【手続補正４】
【補正対象書類名】明細書
【補正対象項目名】００２９
【補正方法】削除
【補正の内容】
【手続補正５】
【補正対象書類名】明細書
【補正対象項目名】００３０
【補正方法】削除
【補正の内容】
【手続補正６】
【補正対象書類名】明細書
【補正対象項目名】００３１
【補正方法】削除
【補正の内容】
【手続補正７】
【補正対象書類名】明細書
【補正対象項目名】００３２
【補正方法】削除
【補正の内容】
【手続補正８】
【補正対象書類名】明細書
【補正対象項目名】００３３
【補正方法】削除
【補正の内容】
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】削除
【補正の内容】
【手続補正１２】
【補正対象書類名】明細書
【補正対象項目名】００３７
【補正方法】削除
【補正の内容】
【手続補正１３】
【補正対象書類名】明細書
【補正対象項目名】００３８
【補正方法】削除
【補正の内容】
【手続補正１４】
【補正対象書類名】明細書
【補正対象項目名】００３９
【補正方法】削除
【補正の内容】
【手続補正１５】
【補正対象書類名】明細書
【補正対象項目名】００４０
【補正方法】削除
【補正の内容】
【手続補正１６】
【補正対象書類名】明細書
【補正対象項目名】００４１
【補正方法】削除
【補正の内容】
【手続補正１７】
【補正対象書類名】明細書
【補正対象項目名】００４２
【補正方法】削除
【補正の内容】
【手続補正１８】
【補正対象書類名】明細書
【補正対象項目名】００４３
【補正方法】削除
【補正の内容】
【手続補正１９】
【補正対象書類名】明細書
【補正対象項目名】００４４
【補正方法】削除
【補正の内容】
【手続補正２０】
【補正対象書類名】明細書
【補正対象項目名】００４５
【補正方法】削除
【補正の内容】
【手続補正２１】
【補正対象書類名】明細書
【補正対象項目名】００４６
【補正方法】削除
【補正の内容】
【手続補正２２】
【補正対象書類名】明細書
【補正対象項目名】００４７
【補正方法】削除
【補正の内容】
【手続補正２３】
【補正対象書類名】明細書
【補正対象項目名】００４８
【補正方法】削除
【補正の内容】
【手続補正２４】
【補正対象書類名】明細書
【補正対象項目名】００４９
【補正方法】削除
【補正の内容】
【手続補正２５】
【補正対象書類名】明細書
【補正対象項目名】００５０
【補正方法】削除
【補正の内容】
【手続補正２６】
【補正対象書類名】明細書
【補正対象項目名】００５１
【補正方法】削除
【補正の内容】
【手続補正２７】
【補正対象書類名】明細書
【補正対象項目名】００５２
【補正方法】削除
【補正の内容】
【手続補正２８】
【補正対象書類名】明細書
【補正対象項目名】００５３
【補正方法】削除
【補正の内容】
【手続補正２９】
【補正対象書類名】明細書
【補正対象項目名】００５４
【補正方法】削除
【補正の内容】
【手続補正３０】
【補正対象書類名】明細書
【補正対象項目名】００５５
【補正方法】削除
【補正の内容】
【手続補正３１】
【補正対象書類名】明細書
【補正対象項目名】００５６
【補正方法】削除
【補正の内容】
【手続補正３２】
【補正対象書類名】明細書
【補正対象項目名】００５７
【補正方法】削除
【補正の内容】
【手続補正３３】
【補正対象書類名】明細書
【補正対象項目名】００５８
【補正方法】削除
【補正の内容】
【手続補正３４】
【補正対象書類名】明細書
【補正対象項目名】００５９
【補正方法】削除
【補正の内容】
【手続補正３５】
【補正対象書類名】明細書
【補正対象項目名】００６１
【補正方法】削除
【補正の内容】
【手続補正３６】
【補正対象書類名】明細書
【補正対象項目名】００６３
【補正方法】削除
【補正の内容】
【手続補正３７】
【補正対象書類名】明細書
【補正対象項目名】０１６０
【補正方法】変更
【補正の内容】
【０１６０】
（２３）また、保持部材４４６は、クロスダイクロイックプリズム４５との接合面に凸部４４６Ｆを備えており、この凸部４４６Ｆとクロスダイクロイックプリズム４５によって、これらの間に部分的な隙間が形成されていることにより、製造時や製造後に液晶パネル４４１Ｒ，４４１Ｇ，４４１Ｂの交換が必要となった場合は、この隙間にドライバーなどの工具を差し込むことによって、保持部材４４６とクロスダイクロイックプリズム４５とを容易に引き剥がすことが可能である。従って、光学装置、ひいてはプロジェクタの製造コストの低減や、アフターサービス性の向上に寄与することが可能となる。また、この隙間は、液晶パネル４４１Ｒ，４４１Ｇ，４４１Ｂやその周辺部に配置された偏光板等の光学素子を冷却するための風路を形成するので、液晶パネル４４１Ｒ，４４１Ｇ，４４１Ｂやその周辺部に配置された光学素子の熱による劣化を防ぐことが可能となり、画質の向上に寄与する。
【手続補正３８】
【補正対象書類名】明細書
【補正対象項目名】符号の説明
【補正方法】変更
【補正の内容】
【符号の説明】
１  プロジェクタ
４４１，４４１Ｒ，４４１Ｇ，４４１Ｂ  液晶パネル
４４２  光速入射側および射出側の偏光板
４４３  保持枠
４４３Ｄ  孔
４４３Ｃ  開口部
４４４Ａ  凹形枠体
４４４Ｂ  支持板
４４５  台座
４４５Ａ  凹部
４４５Ｂ  取付部
４４６  保持部材
４４６Ａ  矩形板状体
４４６Ｂ  開口部
４４６Ｃ  係合溝
４４６Ｄ  起立片
４４６Ｆ  凸部
４４６Ｋ  支持片
４４６Ｌ  切り欠き部
４４６Ｍ  支持面
４４６Ｍ１  支持面
４４７Ａ  ピン
４４７Ｂ，４４７Ｃ  起立片
４４８Ａ，４４８Ｂ  楔状スペーサ
４５  クロスダイクロイックプリズム
４７  光学部品用筐体
４７３  筐体の取付部
【手続補正３９】
【補正対象書類名】図面
【補正対象項目名】図３６
【補正方法】変更
【補正の内容】
【図３６】
2003121931.tif 000001